(57)【要約】【課題】端子の並び方向に対して交差する方向、かつコネクタの嵌合方向に対して交差する方向におけるがたつきを抑制することが可能なコネクタ及びコネクタ装置を提供する。【解決手段】メス端子７と、メス端子７が接続された第１〜第３の電線１１１〜１１３を保持する電線保持部３３と、電線保持部３３の外周に設けられたシールドケース５と、メス端子７を収容し、シールドケース５の外側に設けられたメスハウジング３とを備え、シールドケース５は、メス端子７の並び方向に並列する第１〜第３前方突起５１１〜５１３からなる前方突起列５１と、前方突起列５１に対してオスコネクタ１２との嵌合方向に離間した第１及び第２後方突起５２１，５２２とを有し、第１〜第３前方突起５１１〜５１３、第１後方突起５２１、及び第２後方突起５２２は、オスコネクタ１２との嵌合状態において、オスハウジング２に接触する。【選択図】図６
2014225364.tif 000002
【特許請求の範囲】
【請求項１】
相手側コネクタとの嵌合により、複数の相手側端子に接続される複数の端子と、
前記複数の端子が接続された複数の電線を保持する電線保持部材と、
前記電線保持部材の外周に設けられた導電性を有するシールドケースと、
前記複数の端子を収容し、前記シールドケースの外側に設けられたハウジングとを備え、
前記シールドケースは、
前記複数の端子の並び方向に沿って並列する複数の第１突起からなる突起列と、
前記突起列に対して前記相手側コネクタとの嵌合方向に離間した位置に設けられた第２突起とを有し、
前記複数の第１突起及び前記第２突起は、前記相手側コネクタとの嵌合状態において、前記相手側コネクタのシールド部材に接触する
コネクタ。
【請求項２】
前記複数の第１突起及び前記第２突起は、前記相手側コネクタとの嵌合状態において、前記相手側コネクタの前記シールド部材に弾性的に接触する、
請求項１に記載のコネクタ。
【請求項３】
前記複数の第１突起及び前記第２突起は、前記シールドケースの一部を前記嵌合方向に沿って折り返して形成されている、
請求項１又は２に記載のコネクタ。
【請求項４】
前記複数の端子の並び方向において、前記複数の第１突起と前記第２突起とが異なる位置に配置されている、
請求項１乃至３の何れか１項に記載のコネクタ。
【請求項５】
前記第２突起は、前記シールドケースに複数設けられ、
前記複数の端子の並び方向において、前記複数の第１突起と複数の前記第２突起とが交互に配置されている、
請求項４に記載のコネクタ。
【請求項６】
請求項１乃至５の何れか１項に記載のコネクタと、
前記相手側コネクタとを備えた
コネクタ装置。
【請求項７】
前記相手側コネクタの前記シールド部材の外周には、前記シールド部材と前記ハウジングとの間をシールするシール部材が設けられ、
前記コネクタと前記相手側コネクタとの嵌合状態において、前記第１突起列及び前記第２突起は、前記シール部材よりも前記シールド部材の開口側に配置されている、
請求項６に記載のコネクタ装置。
【発明の詳細な説明】
【技術分野】
【０００１】
本発明は、例えば、ハイブリット車、電気自動車等に用いられるコネクタ及びコネクタ装置に関し、特に、大容量の電力を伝達する際に使用する電力ハーネスに好適に使用することができるコネクタ、及びコネクタ装置に関する。
【背景技術】
【０００２】
従来、コネクタ装置としてオス端子及びオス端子を収容するハウジングを有するオスコネクタと、メス端子及びメス端子を収容するハウジングを有するメスコネクタとを備えたものが知られている（例えば、特許文献１参照。）。
【０００３】
特許文献１に記載のコネクタ装置は、板状の複数の第１接合端子、及び複数の第１接合端子が収容される第１ターミナルハウジングを有する第１コネクタと、板状の複数の第２接合端子、及び複数の第２接合端子が収容される第２ターミナルハウジングを有する第２コネクタとを備える。第１ターミナルハウジングと第２ターミナルハウジングとを嵌合させたとき、第１接合端子と第２接合端子とが接触して接点が構成されることにより、第１コネクタと第２コネクタとが電気的に接続される。
【０００４】
第１コネクタと第２コネクタとが嵌合された状態において、第１接合端子と第２接合端子との接点は、各接点の間に介在する絶縁部材を押圧する金属製の接続部材により一括して固定されると共に、電気的に接続される。接続部材は、回動しながら第１接合端子及び第２接合端子の並び方向に沿って絶縁部材を押圧する。これにより、第１コネクタ及び第２コネクタの嵌合方向における絶縁部材の移動を規制すると共に、第１接合端子及び第２接合端子の幅方向における絶縁部材の移動を規制している。
【先行技術文献】
【特許文献】
【０００５】
【特許文献１】特開２０１２−１３４１３１号公報
【発明の概要】
【発明が解決しようとする課題】
【０００６】
特許文献１に記載のコネクタ装置では、第１接合端子と第２接合端子との接点が接続部材によって一点で固定されているため、接続部材によって押圧される位置を起点として第１接合端子及び第２接合端子の並び方向に対して交差し、かつ第１コネクタと第２コネクタとの嵌合方向に対して交差する方向に、第１ターミナルハウジング及び第２ターミナルハウジングがそれぞれガタついてしまう可能性があった。
【０００７】
そこで、本発明は、ハウジングのガタつきを抑制することが可能なコネクタ及びコネクタ装置を提供することを目的とする。
【課題を解決するための手段】
【０００８】
本発明は、上記課題を解決することを目的として、相手側コネクタとの嵌合により、複数の相手側端子に接続される複数の端子と、前記複数の端子が接続された複数の電線を保持する電線保持部材と、前記電線保持部材の外周に設けられた導電性を有するシールドケースと、前記複数の端子を収容し、前記シールドケースの外側に設けられたハウジングとを備え、前記シールドケースは、前記複数の端子の並び方向に沿って並列する複数の第１突起からなる突起列と、前記突起列に対して前記相手側コネクタとの嵌合方向に離間した位置に設けられた第２突起とを有し、前記複数の第１突起及び前記第２突起は、前記相手側コネクタとの嵌合状態において、前記相手側コネクタのシールド部材に接触するコネクタを提供する。
【０００９】
また、本発明は、上記課題を解決することを目的として、前記コネクタと、前記相手側コネクタとを備えたコネクタ装置を提供する。
【発明の効果】
【００１０】
本発明に係るコネクタ及びコネクタ装置によれば、ハウジングのガタつきを抑制することが可能である。
【図面の簡単な説明】
【００１１】
【図１】本発明の実施の形態に係るコネクタ装置の構成例を示し、（ａ）はメスコネクタ及びオスコネクタの嵌合前の状態を示す側面図、（ｂ）はメスコネクタとオスコネクタとが嵌合された状態を示す斜視図である。
【図２】図１（ｂ）のＡ−Ａ線断面図である。
【図３】オスハウジングを示す平面図である。
【図４】メスハウジングを示し、（ａ）は斜視図、（ｂ）は（ａ）のＣ矢視方向から見た平面図である。
【図５】シールドケースを示す平面図である。
【図６】図２のＢ部拡大図である。
【発明を実施するための形態】
【００１２】
［実施の形態］
図１は、本発明の実施の形態に係るコネクタ装置の構成例を示し、（ａ）はメスコネクタ及びオスコネクタの嵌合前の状態を示す側面図、（ｂ）はメスコネクタとオスコネクタとが嵌合された状態を示す斜視図である。
【００１３】
（コネクタ装置１の構成）
このコネクタ装置１は、メスコネクタ１１と、このメスコネクタ１１に嵌合する相手側コネクタとしてのオスコネクタ１２とを備え、例えば車両の走行用の駆動力を発生する駆動源としての電動モータに、駆動電流としての三相交流電流を供給するために用いられている。この場合、コネクタ装置１は電動モータとインバータとの間を電気的に接続する。
【００１４】
メスコネクタ１１は、第１〜第３の電線１１１〜１１３の一端部を収容する絶縁性を有する樹脂からなるメスハウジング３と、第１〜第３の電線１１１〜１１３の外側を覆う図略の編組シールドの一端部が接続される筒状のシールドケース５とを有している。
【００１５】
メスハウジング３は、第１〜第３の電線１１１〜１１３の導出方向とは反対側に開口３１ａを有する大筒部３１と、大筒部３１から連続して形成され、第１〜第３の電線１１１〜１１３の並び方向における幅が大筒部３１よりも小さい小筒部３２を有している。大筒部３１には、第１〜第３の電線１１１〜１１３の並び方向における一側面に、メスハウジング３からのオスハウジング２の離脱を抑制するための被係合部３１１が形成されている。
【００１６】
オスコネクタ１２は、メスハウジング３に嵌合する導電性を有するシールド部材としてのオスハウジング２と、第１〜第３の電線１２１〜１２３を保持する電線保持部材４とを有している。
【００１７】
オスハウジング２は、筒状の第１筒部２１及び第２筒部２２と、第２筒部２２の外方に張り出して形成されたフランジ部２３と、第１筒部２１からフランジ部２３とは反対側に向かって延びる延出部２４とを一体に有している。
【００１８】
第１筒部２１の外周には、オスハウジング２とメスハウジング３との嵌合状態において、メスハウジング３との間をシールするオス側第１シール部材２１ａが設けられている。第２筒部２２には、第１〜第３の電線１２１〜１２３の並び方向における一側面に、メスハウジング３の被係合部３１１に係合する係合部２２１が外側に向かって突出して形成されている。
【００１９】
図１（ｂ）に示すように、オスハウジング２とメスハウジング３とは、嵌合状態において、回動可能に形成された押付部材１０によって締め付けられて固定されている。なお、押付部材１０を回動させながら締め付けることにより、後述するメスコネクタ１１のメス端子とオスコネクタ１２のオス端子とを電気的に接続させる。
【００２０】
次に、メスコネクタ１１及びオスコネクタ１２の構成について、図２及び図３を参照してより具体的に説明する。
【００２１】
図２は、図１（ｂ）のＡ−Ａ線断面図である。図３は、オスハウジング２を示す平面図である。なお、図２では、メスコネクタ１１におけるメス端子７の接続部７２を破線で示している。
【００２２】
（オスコネクタ１２の構成）
オスコネクタ１２は、複数（本実施の形態では３つ）のオス端子６と、複数のオス端子６の間を絶縁する絶縁部材８と、第１〜第３の電線１２１〜１２３を保持する電線保持部材４と、電線保持部材４の外側に設けられたオスハウジング２とを備えている。
【００２３】
図２に示すように、第２の電線１２２は、中心導体１２２ａと、中心導体１２２ａを被覆する絶縁体１２２ｂとを有している。オス端子６は、後述するメス端子７の接続部７２に面接触して電気的に接続される板状の接続部６２、及び第２の電線１２２の中心導体１２２ａと接続部６２とを接続する加締め部６１を一体に有している。第２の電線１２２の先端部では、絶縁体１２２ｂが除去されて中心導体１２２ａが露出し、この露出した中心導体１２２ａに加締め部６１が加締められている。第１の電線１２１及び第３の電線１２３についても、第２の電線１２２と同様の構成である。
【００２４】
電線保持部材４は、オス端子６を収容する収容空間が形成されたオス端子収容部４１と、オス端子収容部４１から連続して形成され、第１〜第３の電線１２１〜１２３の端部が収容される電線収容部４２と、電線収容部４２から連続して形成され、第１〜第３の電線１２１〜１２３を保持する電線保持部４３とを有している。
【００２５】
オス端子収容部４１の収容空間には、オス端子６と共に絶縁部材８が収容されている。また、オス端子収容部４１は、電線保持部４３とは反対側に開口し、その開口端面がオスハウジング２の第１筒部２１と第２筒部２２との間に形成された段差面２１ｂに対向している。電線収容部４２の外周には、オスハウジング２のフランジ部２３との間をシールするオス側第２シール部材４２ａが設けられている。
【００２６】
図３に示すように、オスハウジング２の第１筒部２１の外周には、オス側第１シール部材２１ａを保持するための溝状のシール保持部２１０が形成されている。フランジ部２３は、例えばインバータやモータ等の機器ケース（図略）にオスハウジング２を固定する際の取付部となる。
【００２７】
延出部２４は、本実施の形態では、第１筒部２１の一部をオスハウジング２とメスハウジング３との嵌合方向に沿って延出させて形成されている。また、延出部２４は、第１〜第３の電線１２１〜１２３を挟んで反対側にも形成され、対をなして形成されている（図２参照）。
【００２８】
（メスコネクタ１１の構成）
メスコネクタ１１は、複数（本実施の形態では３つ）のメス端子７と、複数のメス端子７を支持するメス端子支持部材９１と、第１〜第３の電線１１１〜１１３を整列配置させるテール部材９２と、シールドケース５と、複数のメス端子７を収容し、シールドケース５の外側に設けられたメスハウジング３とを備えている。
【００２９】
図２に示すように、第２の電線１１２は、中心導体１１２ａと、中心導体１１２ａを被覆する絶縁体１１２ｂとを有している。メス端子７は、オス端子６の接続部６２に面接触して電気的に接続される板状の接続部７２、及び第２の電線１１２の中心導体１１２ａと接続部７２とを接続する加締め部７１を一体に有している。第２の電線１１２の先端部では、絶縁体１１２ｂが除去されて中心導体１１２ａが露出し、この露出した中心導体１１２ａに加締め部７１が加締められている。第１の電線１１１及び第３の電線１１３は、第２の電線１１２と同様の構成である。
【００３０】
メスハウジング３は、大筒部３１及び小筒部３２と、第１〜第３の電線１１１〜１１３を保持する電線保持部材としての電線保持部３３とを一体に有している。すなわち、本実施の形態では、電線保持部材及びハウジングが一体成形されており、電線保持部材はメスハウジング３の一部である電線保持部３３として形成されている。
【００３１】
電線保持部３３は、小筒部３２の内側に形成されている。電線保持部３３の外周には、シールドケース５が設けられている。すなわち、シールドケース５は、小筒部３２と電線保持部３３との間に介在している。
【００３２】
シールドケース５には、第１〜第３の電線１１１〜１１３の並び方向に交差し、かつメスコネクタ１１とオスコネクタ１２との嵌合方向に交差する方向に向かって突出する複数の前方突起５１０及び複数の後方突起５２０が形成されている。なお、図２では、複数の前方突起５１０のうち２つの前方突起５１０、及び複数の後方突起５２０のうち２つの後方突起５２０が図示されている。
【００３３】
オスハウジング２がメスハウジング３に嵌合されると、オスハウジング２の第１筒部２１及び一対の延出部２４が小筒部３２と電線保持部３３との間に挿入され、シールドケース５の複数の前方突起５１０及び複数の後方突起５２０が一対の延出部２４のそれぞれの内面２４ａに接触する。
【００３４】
電線保持部３３の外周には、第１〜第３の電線１１１〜１１３の導出側とは反対側の端部に、オスハウジング２の第１筒部２１との間をシールするメス側第１シール部材３３ｄが設けられている。また、電線保持部３３の内側には、第１〜第３の電線１１１〜１１３の導出側の端部に、テール部材９２が配置されている。テール部材９２の外周には、電線保持部３３との間をシールするメス側第２シール部材９２ａが設けられている。
【００３５】
次に、メスハウジング３の構成について、図４を参照してより具体的に説明する。
【００３６】
図４は、メスハウジング３を示し、（ａ）は斜視図、（ｂ）は（ａ）のＣ矢視方向から見た平面図である。
【００３７】
（メスハウジング３の構成）
メスハウジング３は、例えばＰＢＴ（ポリブチレンテレフタレート）、ＰＰＳ（ポリフェニレンスルファイド）、ＰＡ（ポリアミド）等の樹脂からなる。大筒部３１には、被係合部３１１とは反対側の側面に、押付部材１０（図１（ｂ）参照）を挿通させるための丸孔３１２が形成されている。
【００３８】
小筒部３２と電線保持部３３とは、図４（ｂ）に示すように、複数（本実施の形態では４つ）のリブ３４によって互いに連結されている。電線保持部３３には、第１の電線１１１を挿通させる第１の挿通孔３３ａ、第２の電線１１２を挿通させる第２の挿通孔３３ｂ、及び、第３の電線１１３を挿通させる第３の挿通孔３３ｃがそれぞれ形成されている。
【００３９】
第１の挿通孔３３ａと第２の挿通孔３３ｂとの間には、第１の挿通孔３３ａと第２の挿通孔３３ｂとを区切るための第１の仕切り３３１が設けられている。同様にして、第２の挿通孔３３ｂと第３の挿通孔３３ｃとの間には、第２の挿通孔３３ｂと第３の挿通孔３３ｃとを区切るための第２の仕切り３３２が設けられている。
【００４０】
第１挿通孔３３ａの内面には、メス端子支持部材９１（図２参照）に設けられた図略の係止部が係止される被係止部３３０ａが形成されている。本実施の形態では、被係止部３３０ａは、第１の仕切り３３１に対向する位置に形成されている。
【００４１】
同様にして、第２挿通孔３３ｂの内面には、メス端子支持部材９１に設けられた図略の係止部が係止される被係止部３３０ｂが形成されている。本実施の形態では、被係止部３３０ｂは、第１の仕切り３３１の第２の仕切り３３２に対向する面に形成されている。
【００４２】
第１挿通孔３３ａ及び第２挿通孔３３ｂと同様にして、第３挿通孔３３ｃの内面には、メス端子支持部材９１に設けられた図略の係止部が係止される被係止部３３０ｃが形成されている。本実施の形態では、被係止部３３０ｃは、第２の仕切り３３２に対向する位置に形成されている。
【００４３】
次に、シールドケース５の構成について、図５及び図６を参照してより具体的に説明する。
【００４４】
図５は、シールドケース５を示す平面図である。図６は、図２のＢ部拡大図である。
【００４５】
（シールドケース５の構成）
シールドケース５は、例えばアルミニウム（Ａｌ）等の導電性を有する金属からからなり、本実施の形態では金属板を屈曲して形成されている。
【００４６】
シールドケース５は、基部５０と、複数の前方突起５１０からなる前方突起列５１と、複数の後方突起５２０からなる後方突起列５２とを有している。複数の前方突起５１０及び複数の後方突起５２０は、それぞれ基部５０の外方に突出している。
【００４７】
本実施の形態では、シールドケース５は、６つの前方突起５１０と、４つの後方突起５２０とを有しているが、図５では、シールドケース５の一方の側面に設けられた３つの前方突起５１０と、２つの後方突起５２０を図示している。
【００４８】
３つの前方突起５１０は、第１前方突起５１１、第２前方突起５１２、及び第３前方突起５１３により構成され、複数のメス端子７の並び方向、すなわち第１〜第３の電線１１１〜１１３の並び方向に沿って並列して前方突起列５１をなしている。
【００４９】
２つの後方突起５２０は、第１後方突起５２１及び第２後方突起５２２により構成され、３つの前方突起５１０と同様に、第１〜第３の電線１１１〜１１３の並び方向に沿って並列して後方突起列５２をなしている。第１後方突起５２１及び第２後方突起５２２（後方突起列５２）は、前方突起列５１に対してメスコネクタ１１とオスコネクタ１２との嵌合方向に離間した位置に設けられている。
【００５０】
本実施の形態における第１前方突起５１１、第２前方突起５１２、及び第３前方突起５１３は、本発明の「複数の第１突起」の一態様であり、第１後方突起５２１及び第２後方突起５２２は、本発明の「第２突起」の一態様である。また、本実施の形態における前方突起列５１は、本発明の「突起列」の一態様である。
【００５１】
メスコネクタ１１とオスコネクタ１２との嵌合状態において、前方突起列５１は、メスハウジング３の開口側（第１〜第３の電線１１１〜１１３の導出側とは反対側）に位置し、後方突起列５２は、第１〜第３の電線１１１〜１１３の導出側に位置している。
【００５２】
また、複数のメス端子７の並び方向、すなわち第１〜第３の電線１１１〜１１３の並び方向において、第１前方突起５１１、第２前方突起５１２、及び第３前方突起５１３と第１後方突起５２１及び第２後方突起５２２とが互いに異なる位置に配置されている。
【００５３】
本実施の形態では、第１〜第３の電線１１１〜１１３の並び方向において、第１前方突起５１１、第２前方突起５１２、及び第３前方突起５１３と第１後方突起５２１及び第２後方突起５２２とが交互に配置されている。より具体的には、第１後方突起５２１は、第１〜第３の電線１１１〜１１３の並び方向において、第１前方突起５１１と第２前方突起５１２との間に配置され、第２後方突起５２２は、第１〜第３の電線１１１〜１１３の並び方向において、第２前方突起５１２と第３前方突起５１３との間に配置されている。
【００５４】
図６に示すように、メスコネクタ１１とオスコネクタ１２との嵌合状態において、第１前方突起５１１、第２前方突起５１２、及び第３前方突起５１３は、それぞれオスハウジング２に接触する。なお、図６では、第１〜第３前方突起５１１〜５１３のうち、第２前方突起５１２が図示されている。以下、より具体的に説明する。
【００５５】
第１前方突起５１１は、基部５０とは反対側に向かって突出した凸部５１１ａを有し、基部５０の端部における金属板をメスコネクタ１１とオスコネクタ１２との嵌合方向に沿って折り返して形成されている。より具体的には、第１前方突起５１１は、後方突起列５２側に向かって折り返されている。メスハウジング３とオスハウジング２とが嵌合すると、第１前方突起５１１が弾性変形して、凸部５１１ａがオスハウジング２の延出部２４の内面２４ａに弾性的に接触する。
【００５６】
同様にして、第２前方突起５１２は、基部５０とは反対側に向かって突出した凸部５１２ａを有し、基部５０の端部における金属板をメスコネクタ１１とオスコネクタ１２との嵌合方向に沿って折り返して形成されている。より具体的には、第２前方突起５１２は、後方突起列５２側に向かって折り返されている。メスハウジング３とオスハウジング２とが嵌合すると、第２前方突起５１２が弾性変形して、凸部５１２ａがオスハウジング２の延出部２４の内面２４ａに弾性的に接触する。
【００５７】
第１前方突起５１１及び第２前方突起５１２と同様にして、第３前方突起５１３は、基部５０とは反対側に向かって突出した凸部５１３ａを有し、基部５０の端部における金属板をメスコネクタ１１とオスコネクタ１２との嵌合方向に沿って折り返して形成されている。より具体的には、第３前方突起５１３は、後方突起列５２側に向かって折り返されている。メスハウジング３とオスハウジング２とが嵌合すると、第３前方突起５１３が弾性変形して、凸部５１３ａがオスハウジング２の延出部２４の内面２４ａに弾性的に接触する。
【００５８】
また、第１前方突起５１１、第２前方突起５１２、及び第３前方突起５１３と同様に、メスコネクタ１１とオスコネクタ１２との嵌合状態において、第１後方突起５２１及び第２後方突起５２２は、それぞれオスハウジング２に接触する。なお、図６では、第１後方突起５２１及び第２後方突起５２２のうち、第１後方突起５２１が図示されている。以下、より具体的に説明する。
【００５９】
第１後方突起５２１は、基部５０とは反対側に向かって突出した凸部５２１ａを有し、基部５０の端部における金属板をメスコネクタ１１とオスコネクタ１２との嵌合方向に沿って折り返して形成されている。より具体的には、第１後方突起５２１は、第１〜第３の電線１１１〜１１３の導出側に向かって折り返されている。メスハウジング３とオスハウジング２とが嵌合すると、第１後方突起５２１が弾性変形して、凸部５２１ａがオスハウジング２の延出部２４の内面２４ａに弾性的に接触する。
【００６０】
同様にして、第２後方突起５２２は、基部５０とは反対側に向かって突出した凸部５２２ａを有し、基部５０の端部における金属板をメスコネクタ１１とオスコネクタ１２との嵌合方向に沿って折り返して形成されている。より具体的には、第２後方突起５２２は、第１〜第３の電線１１１〜１１３の導出側に向かって折り返されている。メスハウジング３とオスハウジング２とが嵌合すると、第２後方突起５２２が弾性変形して、凸部５２２ａがオスハウジング２の延出部２４の内面２４ａに弾性的に接触する。
【００６１】
基部５０には、メスコネクタ１１とオスコネクタ１２との嵌合方向に沿って延びる第１〜第４の切り欠き５３１〜５３４が形成されている。より具体的には、第１〜第４の切り欠き５３１〜５３４は、それぞれ第１前方突起５１１、第２前方突起５１２、及び第３前方突起５１３が設けられた開口端部から後方突起列５２に向かって延びている。これにより、第１前方突起５１１、第２前方突起５１２、及び第３前方突起５１３は、メスコネクタ１１とオスコネクタ１２との嵌合方向に対して交差する方向にそれぞれ独立して動くことが可能である。
【００６２】
また、金属板を折り返して第１後方突起５２１が形成されることによって、第２切り欠き５３２が形成される。同様にして、金属板を折り返して第２後方突起５２２が形成されることによって、第３切り欠き５３３が形成される。
【００６３】
前方突起列５１、後方突起列５２、及び第１〜第４の切り欠き５３１〜５３４は、それぞれ第１〜第３の電線１１１〜１１３を挟んで反対側にも形成されている。すなわち、前方突起列５１、後方突起列５２、及び第１〜第４の切り欠き５３１〜５３４は、それぞれ第１〜第３の電線１１１〜１１３を挟んで対となって形成されている。
【００６４】
メスコネクタ１１とオスコネクタ１２との嵌合状態において、前方突起列５１及び後方突起列５２は、オスハウジング２の第１筒部２１に設けられたオス側第１シール部材２１ａよりもオスハウジング２の開口側に配置されている（図６参照）。
【００６５】
（実施の形態の作用及び効果）
以上説明した実施の形態によれば、以下のような作用及び効果が得られる。
【００６６】
（１）複数のメス端子７の並び方向に沿って並列する第１〜第３前方突起５１１〜５１３からなる前方突起列５１と、前方突起列５１に対してメスコネクタ１１とオスコネクタ１２との嵌合方向に離間した位置に設けられた第１後方突起５２１及び第２後方突起５２２とを有し、第１〜第３前方突起５１１〜５１３、第１後方突起５２１、及び第２後方突起５２２は、メスコネクタ１１とオスコネクタ１２との嵌合状態において、オスハウジング２の延出部２４に接触するため、複数のメス端子７の並び方向に対して交差する方向、かつメスコネクタ１１とオスコネクタ１２との嵌合方向に対して交差する方向へのがたつきを抑制することが可能である。
【００６７】
（２）オスハウジング２がメスハウジング３に嵌合されると、オスハウジング２の延出部２４によって、複数の前方突起５１０（第１〜第３前方突起５１１〜５１３）、及び複数の後方突起５２０（第１後方突起５２１及び第２後方突起５２２）は、基部５０の外周面に押し付けられる。このとき、複数の前方突起５１０及び複数の後方突起５２０は、それぞれ弾性力によりオスハウジング２の延出部２４を押し返す。したがって、複数の前方突起５１０のそれぞれに形成された凸部５１１ａ，５１２ａ，５１３ａ、及び複数の後方突起５２０のそれぞれに形成された凸部５２１ａ，５２２ａが、オスハウジング２の延出部２４の内面２４ａに弾性的に接触する。これにより、複数のメス端子７の並び方向に対して交差する方向、かつメスコネクタ１１とオスコネクタ１２との嵌合方向に対して交差する方向へのがたつきをより抑制することができる。
【００６８】
（３）複数の前方突起５１０及び複数の後方突起５２０は、シールドケース５（基部５０）の一部をメスコネクタ１１とオスコネクタ１２との嵌合方向に沿って折り返して形成されているため、別部材を用いて第１〜第３前方突起５１１〜５１３、第１後方突起５２１、及び第２後方突起を成形した上でシールドケース５に取り付ける必要がなく、作業性の向上につながる。
【００６９】
（４）メスコネクタ１１とオスコネクタ１２との嵌合状態において、第１〜第３前方突起５１１〜５１３、第１後方突起５２１、及び第２後方突起は、オスハウジング２の第１筒部２１に設けられたオス側第１シール部材２１ａよりもオスハウジング２の開口側に配置されているため、オス側第１シール部材２１ａが介在することによってオスハウジング２とメスハウジング３との間で発生するがたつきを抑制することが可能である。
【００７０】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７１】
［１］相手側コネクタ（オスコネクタ１２）との嵌合により、複数の相手側端子（オス端子６）に接続される複数の端子（メス端子７）と、複数の端子（メス端子７）が接続された複数の電線（第１〜第３の電線１１１〜１１３）を保持する電線保持部（３３）と、電線保持部（３３）の外周に設けられた導電性を有するシールドケース（５）と、複数の端子（メス端子７）を収容し、シールドケース（５）の外側に設けられたハウジング（メスハウジング３）とを備え、シールドケース（５）は、複数の端子（メス端子７）の並び方向に沿って並列する複数の第１突起（第１〜第３前方突起５１１〜５１３）からなる突起列（前方突起列５１）と、突起列（前方突起列５１）に対して相手側コネクタ（オスコネクタ１２）との嵌合方向に離間した位置に設けられた第２突起（第１後方突起５２１及び第２後方突起５２２）とを有し、複数の第１突起（第１〜第３前方突起５１１〜５１３）及び第２突起（第１後方突起５２１及び第２後方突起５２２）は、相手側コネクタ（オスコネクタ１２）との嵌合状態において、相手側コネクタ（オスコネクタ１２）のシールド部材（オスハウジング２）に接触するコネクタ（メスコネクタ１１）。
【００７２】
［２］複数の第１突起（第１〜第３前方突起５１１〜５１３）及び第２突起（第１後方突起５２１及び第２後方突起５２２）は、相手側コネクタ（オスコネクタ１２）との嵌合状態において、相手側コネクタ（オスコネクタ１２）のシールド部材（オスハウジング２）に弾性的に接触する、［１］に記載のコネクタ（メスコネクタ１１）。
【００７３】
［３］複数の第１突起（第１〜第３前方突起５１１〜５１３）及び第２突起（第１後方突起５２１及び第２後方突起５２２）は、シールドケース（５）の一部を嵌合方向に沿って折り返して形成されている、［１］又は［２］に記載のコネクタ（メスコネクタ１１）。
【００７４】
［４］複数の端子（メス端子７）の並び方向において、複数の第１突起（第１〜第３前方突起５１１〜５１３）と第２突起（第１後方突起５２１及び第２後方突起５２２）とが異なる位置に配置されている、［１］乃至［３］の何れか１項に記載のコネクタ（メスコネクタ１１）。
【００７５】
［５］第２突起（第１後方突起５２１及び第２後方突起５２２）は、シールドケース（５）に複数設けられ、複数の端子（メス端子７）の並び方向において、複数の第１突起（第１〜第３前方突起５１１〜５１３）と複数の第２突起（第１後方突起５２１及び第２後方突起５２２）とが交互に配置されている、［４］に記載のコネクタ（メスコネクタ１１）。
【００７６】
［６］［１］乃至［５］の何れか１項に記載のコネクタ（メスコネクタ１１）と、相手側コネクタ（オスコネクタ１２）とを備えたコネクタ装置（１）。
【００７７】
［７］相手側コネクタ（オスコネクタ１２）のシールド部材（オスハウジング２）の外周には、シールド部材（オスハウジング２）とハウジング（メスハウジング３）との間をシールするシール部材（オス側第１シール部材２１ａ）が設けられ、コネクタ（メスコネクタ１１）と相手側コネクタ（オスコネクタ１２）との嵌合状態において、第１突起列（前方突起列５１）及び第２突起（第１後方突起５２１及び第２後方突起５２２）は、シール部材（オス側第１シール部材２１ａ）よりもシールド部材（オスハウジング２）の開口側に配置されている、［６］に記載のコネクタ装置（１）。
【００７８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７９】
本発明は、その趣旨を逸脱しない範囲で適宜変形して実施することが可能である。例えば、上記実施の形態では、オスハウジング２の延出部２４は、第１筒部２１の一部をメスコネクタ１１とオスコネクタ１２との嵌合方向に延出させて形成されていたが、これに限らず、第１筒部２１の全体をメスコネクタ１１とオスコネクタ１２との嵌合方向に延出させて形成してもよい。この場合、延出部２４の強度を高めることができる。
【００８０】
また、上記実施の形態では、第１後方突起５２１及び第２後方突起５２２により後方突起列５２を構成していたが、これに限らず、少なくとも１つの後方突起が形成されていればよい。
【００８１】
また、上記実施の形態では、第１〜第３前方突起５１１〜５１３、第１後方突起５２１、及び第２後方突起５２２は、基部５０の一部を折り返して形成されていたが、これに限らず、メスコネクタ１１とオスコネクタ１２とが嵌合したとき、オスハウジング２の延出部２４の内面２４ａに弾性的に接触する接点が設けられていればよい。
【００８２】
また、コネクタ装置１の用途やメスコネクタ１１側の第１〜第３の電線１１１〜１１３及びオスコネクタ１２側の第１〜第３の電線１２１〜１２３の本数等についても特に制限はない。
【符号の説明】
【００８３】
１…コネクタ装置、２…オスハウジング（シールド部材）、３…メスハウジング（ハウジング）、４…電線保持部材、５…シールドケース、６…オス端子（相手側端子）、７…メス端子（端子）、８…絶縁部材、１０…押付部材、１１…メスコネクタ（コネクタ）、１２…オスコネクタ（相手側コネクタ）、２１…第１筒部、２１ａ…オス側第１シール部材、２１ｂ…段差面、２２…第２筒部、２３…フランジ部、２４…延出部、２４ａ…内面、３１…大筒部、３１ａ…開口、３２…小筒部、３３…電線保持部（電線保持部材）、３３ａ…第１挿通孔、３３ｂ…第２挿通孔、３３ｃ…第３挿通孔、３３ｄ…メス側第１シール部材、３４…リブ、４１…オス端子収容部、４２…電線収容部、４２ａ…オス側第２シール部材、４３…電線保持部、５０…基部、５１…前方突起列、５２…後方突起列、６１…加締め部、６２…接続部、７１…加締め部、７２…接続部、９１…メス端子支持部材、９２…テール部材、９２ａ…メス側第２シール部材、１１１，１２１…第１の電線、１１２，１２２…第２の電線、１１２ａ，１２２ａ…中心導体、１１２ｂ，１２２ｂ…絶縁体、１１３，１２３…第３の電線、２１０…シール保持部、２２１…係合部、３１１…被係合部、３１２…丸孔、３３０ａ…被係止部、３３０ｂ…被係止部、３３０ｃ…被係止部、３３１…第１の仕切り、３３２…第２の仕切り、５１０…前方突起、５１１…第１前方突起、５１２…第２前方突起、５１３…第３前方突起、５２０…後方突起、５２１…第１後方突起、５２２…第２後方突起、５１１ａ，５１２ａ，５１３ａ，５２１ａ，５２２ａ…凸部５３１…第１の切り欠き、５３２…第２の切り欠き、５３３…第３の切り欠き、５３４…第４の切り欠き
【図１】
2014225364.tif 000003
【図２】
2014225364.tif 000004
【図３】
2014225364.tif 000005
【図４】
2014225364.tif 000006
【図５】
2014225364.tif 000007
【図６】
2014225364.tif 000008